(57)【要約】【課題】本開示は、省人・省資源・省スペース・低コスト及び良好な衛生性を兼ね備えた製品入り外袋、製品入り外袋の巻き取り品、それらの製造方法及び袋体の供給方法を提供することを目的とする。【解決手段】本開示に係る製品入り外袋２００は、製品である袋体の一部が重なるように連続又は間欠で一列に積み重ねられた複数個の袋体１３を、嵌合具付き筒状外袋１５で包み込んで、袋体１３の積み重ねの状態を保持したままで一体化している。製品入り外袋２００において、筒状外袋１１は、樹脂フィルムを基材１５として筒の長さ方向Ｘに沿って同一内径で連続して延びた筒形状をなしており、筒の長さ方向に沿って折り込み部を少なくとも一つ有し、筒状外袋１１が、横断面が扁平状態でロール巻きされている。【選択図】図８
2018188225.tif 000002
【特許請求の範囲】
【請求項１】
製品である袋体の一部が重なるように連続又は間欠で一列に積み重ねられた複数個の袋体１３を、外包装用の筒状外袋１１で包み込んで、前記袋体の積み重ねの状態を保持したままで一体化した製品入り外袋４００であって、
前記筒状外袋は、樹脂フィルムを基材１５として筒の長さ方向Ｘに沿って同一内径で連続して延びた筒形状をなしており、前記筒の長さ方向に沿って折り込み部９４を少なくとも一つ有し、前記筒状外袋が、横断面が扁平状態でロール巻きされていることを特徴とする製品入り外袋。
【請求項２】
前記製品入り外袋は、フラットのシート状外包装用の樹脂フィルムとした前記基材に製品である袋体の一部が重なるように連続又は間欠で一列に積み重ねられた複数個の袋体を載せ、前記複数個の袋体を前記基材で包み込んで筒状外袋とし、前記袋体の積み重ねの状態を保持したままで一体化したことを特徴とする請求項１に記載の製品入り外袋。
【請求項３】
前記製品入り外袋は、前記基材の内壁面にエンボス加工領域部を有することを特徴とする請求項１又は２のいずれか一つに記載の製品入り外袋。
【請求項４】
前記製品入り外袋は、前記筒の長さ方向Ｘに沿って切れ目を形成するための開封補助手段を少なくとも一つ有することを特徴とする請求項１〜３のいずれか一つに記載の製品入り外袋。
【請求項５】
製品である袋体の一部が重なるように連続又は間欠で一列に積み重ねられた複数個の袋体を、外包装用の筒状外袋で包み込んで、前記袋体の積み重ねの状態を保持したままで一体化した製品入り外袋の製造方法であって、
基材として等幅の帯状の樹脂フィルムを準備する工程Ａと、
前記基材を広げた状態とする工程Ｂと、
前記基材の上に、該基材の長手方向に沿って、前記袋体の一部が重なるように連続又は間欠で一列に該袋体を複数積み重ねていく工程Ｃと、
前記複数個の袋体を載せた前記基材を該基材の長手方向に移動させながらかつ該基材の長手方向に張力をかけながら、前記基材で前記複数個の袋体を包み込むとともに、前記基材の側端部を重ね合わせ、次いで折り曲げて折り込み部を形成することで、前記基材を筒状に成形して前記製品入り外袋を得る工程Ｄと、
前記製品入り外袋を横断面が扁平状態でロール巻きするＥ工程と、を有することを特徴とする製品入り外袋の製造方法。
【請求項６】
前記工程Ｄにおいて、少なくとも２回以上折り曲げ、かつ、１回折り曲げる毎にプレスをして折り目づけを行うことを特徴とする請求項５に記載の製品入り外袋の製造方法。
【請求項７】
請求項１〜６のいずれか一つに記載の製品入り外袋に収容された外袋を引き出しながら折り込み部９４又は外袋のうち折り込み部９４以外の箇所を開口するＦ工程と、
開口された外袋の中の前記袋体を順々に充填機に供給するＧ工程と、を有することを特徴とする袋体の供給方法。
【発明の詳細な説明】
【技術分野】
【０００１】
本開示は、筒状外袋に関し、特に、複数の製品について製品同士の相対的位置関係を固定したまま包み込んで、ひとまとまりとする筒状外袋に関する。また本開示は、筒状外袋によって製品が包まれた製品入り外袋、さらにその製品入り外袋を横断面が扁平状態でロール巻きした製品入り外袋の巻き取り品に関する。さらに本開示はそれらの製造方法及び製品入り外袋から製品である袋体を取り出す袋体の供給方法に関する。
【背景技術】
【０００２】
一般に、販売の目的とされる商品を直接包装する形態を一次包装という。一次包装の形態とされた商品を決められた数量に従い、さらに箱又は袋に包装する形態を二次包装という。商品は一次包装又は二次包装の形態にて消費者に渡される。さらに、二次包装の形態の商品を決められた数量に従い、バルクハンドリング、倉庫保管及び輸送等の目的のために梱包箱等に入れる形態を三次包装という。また、一次包装の形態にされた商品を、二次包装の形態とせずに、三次包装の形態とすることもある。
【０００３】
例えば、円筒状の小巻ロール（「商品」に相当する。）の円筒側面を包装用フィルムに巻き付けたのち、包装フィルムの側面を熱融着し、さらに円筒の上面側と下面側に位置する包装用フィルムをそれぞれ閉じて熱融着して、小巻ロールを一次包装する技術がある（例えば、特許文献１の図２５〜図２９を参照。）。
【０００４】
なお、製袋メーカーにとっては、販売の目的とされる商品が包装資材となる袋体であるため（例えば、特許文献２を参照。）、本明細書では、包装資材としての袋体が販売の目的とされる商品である場合、包装資材ではない商品（通常の商品のことであり、以降、非包装資材商品ともいう。）との区別のために、当該袋体を「製品」と称することがある。また、袋体を包む包装を外袋と称することがある。
【０００５】
非包装資材商品が入った嵌合具付き袋が小売店に陳列されるまでは、まず、（１）製袋工程：製袋メーカーが袋体を製造してさらに外袋に収容し、（２）運送工程１：袋体を非包装資材商品のメーカーに納入し、（３）給袋工程：外袋から袋体を取り出し、（４）充填工程：非包装資材商品を袋体に充填し、（５）運送工程２：袋体に充填された非包装資材商品を小売店に搬送して一般消費者へと渡る、というルートが通常である。
【０００６】
従来の製袋工程は次のような手順で行われていた。すなわち、製袋機によって製袋された製品である嵌合具付き袋は、トレーなどの容器にいったんストックされ、人の手によって一定枚数を束にする結束作業が行われていた。その一定枚数ずつ束にされた、製品である嵌合具付き袋は、輪ゴム等の結束手段で固定され、続いて嵌合具付きの外袋に入れられたのち、外袋の嵌合具が閉じられる。さらに複数個の嵌合具付き外袋は箱に詰められる。その箱は、埃や汚れの付着防止又は浸水防止のために防水フィルムによって覆われた後、出荷される。これらの工程はすべて人の手が必要であった。
【０００７】
また、従来の給袋工程は次のような手順で行われていた。すなわち、非包装資材商品のメーカーが非包装資材商品を嵌合具付き袋に充填するために、防水フィルムを剥がして箱から外袋を取り出し、その外袋の嵌合具を外し、束ねられた嵌合具付き袋を取り出し、束ねてある輪ゴム等の結束手段を外して、嵌合具付き袋を個々の状態に戻す。これらの工程もすべて人の手が必要であった。
【０００８】
さらに従来の充填工程は次のような手順で行われていた。すなわち、個々の嵌合具付き袋を、充填機の袋体供給部に供給する。この工程も人の手が必要であった。充填機の袋体供給部から一つ一つ取り出された嵌合具付き袋は、開口され、非包装資材商品が充填される。この工程は、充填機によってなされる。
【先行技術文献】
【特許文献】
【０００９】
【特許文献１】特開２００３‐２６７６０２号公報
【特許文献２】特開２０１８‐８７２８号公報
【発明の概要】
【発明が解決しようとする課題】
【００１０】
しかし、製袋工程では、袋詰めのときの作業スピードや精度がそれを行う個々の人の能力に依存していたため、個々の人の処理能力に合わせて包装袋の製造ラインのスピードを調整し、また休憩が必要である。その結果として、生産性が低下し、また生産性が不安定となりやすく、生産効率が悪かった。また、トレーにストックされた袋体は、ストック場所や積み重ねの不安定さによってストック枚数に限りがあり、広いスペースを必要としていた。そして、結束された袋体を外袋に入れるときの輪ゴム留めや外袋に入れるときの嵌合具の開口、閉口、箱詰め、防水フィルム施工に至る作業には時間がかかり、また手間であった。
【００１１】
また、給袋工程では、防水フィルム付きの箱詰めされた外袋を取り出し、嵌合具を外し、輪ゴム等を取り除いて嵌合具付き袋を個々の状態に戻していたが、すべて人の手が必要であった。特に輪ゴム等により嵌合具付き袋が湾曲して癖がついてしまい、平状に戻す作業を余儀なくされていたが、これらの作業もすべて人の手によって行われていた。さらに、輪ゴム等と接触していた嵌合具付き袋にはシワが発生していたり、ときには穴が開いてしまうことがあった。このように作業ミスや製品ロスが頻繁に発生しやすかった。さらに、充填機に嵌合具付き袋をセットし終えるたびに、次なる外袋について嵌合具開口工程に戻って同様に人の手で繰り返して作業を行う必要があり、時間と手間がかかっていた。よって、人件費が嵩み、コスト高になっていたほか、作業ミスなども不可避であった。加えて人手不足によって人材確保が難しく、一層費用が嵩んでいた。
【００１２】
さらに、外袋については、それ自体を製袋する必要があり、袋製品と同じ手間とコストがかかっていた。また、様々な種類の外袋を防水フィルムと共に保管しなければならず、倉庫による管理を強いられるため、非常にコスト高であると共に手間もかかっていた。
【００１３】
また、防水フィルム、出荷箱、外袋は充填工程を経た後に廃棄されるため、大量の資源が無駄に消費されていた。
【００１４】
また、結束、外袋詰め、箱詰め、箱開け及び外袋明けを人の手で行っていたため、人に起因する汚れが付着するおそれもあった。
【００１５】
そこで本開示は、（１）人的作業の省力化を図ることで、包装袋の製造ラインの高速化を実現し、また、その生産速度の安定化を図り、人的作業のミスによる製造ロスの低減と袋体の品質低下を抑制すること、及び、（２）外袋の製袋及び保管によるコスト上昇を防ぐと共にその管理の手間を省くこと、を実現する、省人・省資源・省スペース・低コスト及び良好な衛生性を兼ね備えた製品入り外袋、製品入り外袋の巻き取り品それらの製造方法並びに袋体の供給方法を提供することを目的とする。
【課題を解決するための手段】
【００１６】
本発明者らは、鋭意検討したところ、外包装用の外袋を、帯状樹脂フィルムの幅方向の端辺同士を重ね合わせて折り込むことで筒状に形成した筒状外袋の形態とし、また、製品である袋体の一部が重なるように連続して一列に積み重ねられた複数個の袋体を、外装用の筒状外袋で包み込み、袋体の積み重ね状態を保持したままで一体化させることで、上記課題が解決できることを見出し、本発明を完成させた。
【００１７】
すなわち、本発明に係る製品入り外袋は、製品である袋体の一部が重なるように連続又は間欠で一列に積み重ねられた複数個の袋体を、外包装用の筒状外袋で包み込んで、前記袋体の積み重ねの状態を保持したままで一体化した製品入り外袋であって、前記筒状外袋は、樹脂フィルムを基材として筒の長さ方向に沿って同一内径で連続して延びた筒形状をなしており、前記筒の長さ方向に沿って折り込み部を少なくとも一つ有し、前記筒状外袋が、横断面が扁平状態でロール巻きされていることを特徴とする。
【００１８】
本発明に係る製品入り外袋では、前記製品入り外袋は、フラットのシート状外包装用の樹脂フィルムとした前記基材に製品である袋体の一部が重なるように連続又は間欠で一列に積み重ねられた複数個の袋体を載せ、前記複数個の袋体を前記基材で包み込んで筒状外袋とし、前記袋体の積み重ねの状態を保持したままで一体化したことが好ましい。
【００１９】
本発明に係る製品入り外袋では、前記折り込み部は、前記基材の幅方向の側端部を重ね合わせて２回以上折り曲げていることが好ましい。折り込みによる仮留め強度を高めることができる。
【００２０】
本発明に係る製品入り外袋では、前記製品入り外袋は、前記基材の内壁面にエンボス加工領域部を有することが好ましい。製品である袋体が筒状外袋の内部で移動しにくくなるため、袋体の積み重ね状態をより一層保持しやすくなる。
【００２１】
本発明に係る製品入り外袋では、前記製品入り外袋は、前記筒の長さ方向Ｘに沿って切れ目を形成するための開封補助手段を少なくとも一つ有することが好ましい。折り込み部の折り込みを戻すことで外袋を開口することができるが、これとは別の開口を設けることができるので、利便性がより一層向上する。
【００２２】
本発明に係る製品入り外袋の製造方法は、製品である袋体の一部が重なるように連続又は間欠で一列に積み重ねられた複数個の袋体を、外包装用の筒状外袋で包み込んで、前記袋体の積み重ねの状態を保持したままで一体化した製品入り外袋の製造方法であって、基材として等幅の帯状の樹脂フィルムを準備する工程Ａと、前記基材を広げた状態とする工程Ｂと、前記基材の上に、該基材の長手方向に沿って、前記袋体の一部が重なるように連続又は間欠で一列に該袋体を複数積み重ねていく工程Ｃと、前記複数個の袋体を載せた前記基材を該基材の長手方向に移動させながらかつ該基材の長手方向に張力をかけながら、前記基材で前記複数個の袋体を包み込むとともに、前記基材の側端部を重ね合わせ、次いで折り曲げて折り込み部を形成することで、前記基材を筒状に成形して前記製品入り外袋を得る工程Ｄと、前記製品入り外袋を横断面が扁平状態でロール巻きするＥ工程と、を有することを特徴とする。
【００２３】
また、本発明に係る製品入り外袋の製造方法では、前記工程Ａにおいて、前記基材を１つ準備し、前記工程Ｂにおいて、前記基材を、前記基材の長手方向の横断面がＵ字形状又はＶ字状となるように広げ、前記工程Ｃにおいて、前記袋体の左右いずれか一方の側端側を下方に向けた状態で、前記袋体を前記Ｕ字形状又はＶ字状の基材の内側に入れることが好ましい。本形態においても重力を利用して袋体をきれいに整列させることが出来るため、製品入り外袋内で、袋体がより整然と整列している。
【００２４】
また、本発明に係る製品入り外袋の製造方法では、前記工程Ａにおいて、前記基材を２つ準備し、前記工程Ｂにおいて、前記基材の一方を水平に広げ、前記基材の他方を、前記基材の一方の上方で水平に広げ、前記工程Ｃにおいて、前記基材の一方をフラットのシート状とすると共に、前記基材の一方の幅方向の両端が前記袋体の左の側端側及び右の側端側にそれぞれ位置するように、該袋体を前記基材の一方の上に載せ、前記工程Ｄにおいて、前記基材の他方を前記袋体に被せて、前記基材を重ね合わせた幅方向の側端部をそれぞれ重ね合わせ、次いで折り曲げて折り込み部を形成することが好ましい。２つの基材を上下に配置し、その間に袋体を配置して閉じるという簡易な動作で、外袋の中に袋体を入れることが出来る。
【００２５】
本発明に係る製品入り外袋の製造方法では、前記工程Ｄにおいて、少なくとも２回以上折り曲げ、かつ、１回折り曲げる毎にプレスをして折り目づけを行うことが好ましい。折り込みによる仮留め強度を高めることができる。
【００２６】
本発明に係る袋体の供給方法は、本発明に係る製品入り外袋に収容された外袋を引き出しながら折り込み部又は外袋のうち折り込み部以外の箇所を開口するＦ工程と、開口された外袋の中の前記袋体を順々に充填機に供給するＧ工程と、を有することを特徴とする。
【発明の効果】
【００２７】
本開示によれば、（１）人的作業の省力化を図ることで、包装袋の製造ラインの高速化を実現し、また、その生産速度の安定化を図り、人的作業のミスによる製造ロスの低減と袋体の品質低下を抑制すること、及び、（２）外袋の製袋及び保管によるコスト上昇を防ぐと共にその管理の手間を省くこと、を実現する、省人・省資源・省スペース・低コスト及び良好な衛生性を兼ね備えた製品入り外袋、製品入り外袋の巻き取り品及びそれらの製造方法並びに袋体の供給方法を提供することが出来る。
【００２８】
さらに、製袋機と充填機とをインラインで一体化すると生産効率が高まるところ、充填を行う者が製袋機のメンテナンスも行う必要が生じる。しかし、本発明によれば、設備のインライン化をしなくても、製品入り外袋が、実質的に製袋機を再現することが出来るため、袋体を充填機に高速で供給することが可能となる。よって、充填する者からすれば、製袋機のメンテナンスが不要であり、かつ、実質的にインライン化を再現することが出来る。さらに、製袋を行う者からすれば、袋体の結束作業が不要となり、また、それに伴う検品工程も不要とすることが出来る。
【００２９】
さらに製品入り外袋の巻き取り品では、巻取りによって外袋内の空気が脱気されるため、外袋の内壁と袋体との接触状態及び袋体同士の接触状態が運送時においてもずれないため、開封して袋体を取り出すときに、袋体を詰めた状態をそのまま再現することが出来る。
【図面の簡単な説明】
【００３０】
【図１】本実施形態に係る製品入り外袋の第一例を示す正面概略図である。
【図２】図１のＤ−Ｄ線断面図である。
【図３】図１のＢ−Ｂ線断面図である。
【図４】本実施形態に係る製品入り外袋に収容される袋体の一形態を示す正面概略図である。
【図５】図４のＣ−Ｃ線断面図である。
【図６】巻き取り品の形態を有する本実施形態に係る製品入り外袋の第一例を示す概略図である。
【図７】図６のＧ−Ｇ線断面図である。
【図８】本実施形態に係る製品入り外袋の巻き取り品の製造方法を説明するための概略図である。（ａ）〜（ｄ）はそれぞれ、帯状樹脂フィルムの基材の長さ方向を横断する横断面（すなわち幅方向を見た横断面）であり、（ｅ）は巻き取り品の形態を有する製品入り外袋の斜視図である。（ａ）（ｂ）（ｃ）（ｄ）（ｅ）の順に工程が進む様子を示している。
【図９】開封補助手段としてカットライン付フィルムの形態を説明するための断面概略図である。
【図１０】開封補助手段として基材に薄肉部を設けた形態を説明するための断面概略図である。
【図１１】開封補助手段としてガイドテープ式開口の形態を説明するための断面概略図であり、（ａ）は、ガイドテープの両側に盛り上り部のない形態、（ｂ）はガイドテープの両側に盛り上り部のある形態、を示した。
【発明を実施するための形態】
【００３１】
次に、本発明について実施形態を示して詳細に説明するが本発明はこれらの記載に限定して解釈されない。本発明の効果を奏する限り、実施形態は種々の変形をしてもよい。
【００３２】
（製品入り外袋）
次に図１〜図７を参照して、本実施形態に係る製品入り外袋２００を説明する。本実施形態に係る製品入り外袋２００は、外袋が折り込み部９４によって閉められている。本実施形態に係る製品入り外袋２００は、図１〜図３に示すように、製品である袋体（ｐ１，ｐ２，ｐ３，ｐ４，・・・，ｐｎ）の一部が重なるように連続又は間欠で一列に積み重ねられた複数個の袋体１３を、外包装用の筒状外袋１１で包み込んで、袋体の積み重ねの状態を保持したままで一体化した製品入り外袋であって、筒状外袋１１は、樹脂フィルムを基材１５として筒の長さ方向Ｘに沿って同一内径で連続して延びた筒形状をなしており、筒の長さ方向Ｘに沿って折り込み部９４を少なくとも一つ有し、図６及び図７に示すように、筒状外袋１１が、横断面が扁平状態でロール巻きされている。
【００３３】
外包装とは、販売の目的とされる商品（商品のみならず、個別に一次包装された商品を含む。）を複数個の単位で、ひとまとまりに包装する形態（二次包装及び三次包装の両方を包含する。）をいう。また、外袋とは、外包装が特に袋体であることをいう。したがって、実施形態において筒状外袋とは、筒形状を有し、外包装に用いられる袋体をいう。
【００３４】
基材１５としての樹脂フィルムの材質としては、例えば、ポリエチレン樹脂、ポリプロピレン樹脂であり、下記＜１＞〜＜２９＞に例示するもののうちから任意のものが採用されるが、本実施形態では特に限定されない。
＜１＞  高密度ポリエチレン（ＨＤＰＥ）
＜２＞  中密度ポリエチレン（ＭＤＰＥ）
＜３＞  低密度ポリエチレン（ＬＤＰＥ）
＜４＞  ポリプロピレン（ＰＰ）
＜５＞  ポリ塩化ビニリデン（ＰＶＤＣ）
＜６＞  ポリ塩化ビニル（ＰＶＣ）
＜７＞  ポリスチレン（ＰＳ）
＜８＞  ポリ酢酸ビニル（ＰＶＡｃ）
＜９＞  ポリテトラフルオロエチレン（ＰＴＦＥ）
＜１０＞  ＡＢＳ樹脂（アクリロニトリルブタジエンスチレン樹脂）
＜１１＞  ＡＳ樹脂（ＳＡＮ）
＜１２＞  アクリル樹脂（ＰＭＭＡ）
＜１３＞  ポリアミド（ＰＡ）／商品名ナイロン
＜１４＞  ポリアセタール（ＰＯＭ）
＜１５＞  ポリカーボネート（ＰＣ）
＜１６＞  変性ポリフェニレンエーテル（ｍ−ＰＰＥ、変性ＰＰＥ、ＰＰＯ）
＜１７＞  ポリブチレンテレフタレート（ＰＢＴ）
＜１８＞  ポリエチレンテレフタレート（ＰＥＴ）
＜１９＞  環状ポリオレフィン（ＣＯＰ）
＜２０＞  ポリフェニレンスルファイド（ＰＰＳ）
＜２１＞  ポリサルフォン（ＰＳＦ）
＜２２＞  ポリエーテルサルフォン（ＰＥＳ）
＜２３＞  非晶ポリアリレート（ＰＡＲ）
＜２４＞  液晶ポリマー（ＬＣＰ）
＜２５＞  ポリエーテルエーテルケトン（ＰＥＥＫ）
＜２６＞  熱可塑性ポリイミド（ＰＩ）
＜２７＞  ポリアミドイミド（ＰＡＩ）
＜２８＞  熱可塑性ポリウレタン（ＴＰＵ）
＜２９＞  フッ素樹脂（ＰＴＦＥ）
また、単層フィルムからなる基材１５の厚さは０．２ｍｍ〜１．５ｍｍ程度のものが望ましく、複層フィルムからなる基材１５の厚さは０．４〜２．０ｍｍ程度が望ましい。また、筒状外袋１１は、折り込み部を有したまま筒内を広げたときに筒の長さ方向Ｘに沿って同一内径で連続して延びた筒形状を有する。内径（直径）は、例えば１．５〜６５ｃｍであるが、この範囲に限定されない。また、筒形状の上端部及び下端部は、開放されていてもよく、また、剥離可能なシール、接着若しくは熱溶着又は結束されて閉じていてもよい。
【００３５】
本実施形態に係る製品入り外袋２００は、筒状外袋１１の筒内部に製品である袋体が複数個収容されている。図４及び図５に示すように、製品である袋体ｐ１は、開口部８と収容部７を有するプラスチック樹脂製の袋体であり、開口部８の端に沿って、チャック９が設けられている。チャック９は、嵌合構造を有し、開閉自在である。チャック９は、開口部８と平行に延びる帯状の雌基部と雌部とを有する雌部材と、開口部８と平行に延びる帯状の雄基部と雄部とを有する雄部材とを有し、雌部に雄部が咬合することによって閉となるチャック構造を有することが好ましい。雄基部及び雌基部は、袋体の基材の内壁面に接着されている形態がある。また、チャック９は、雄部及び雌部が袋体の基材と一体に成形されていて、雌部に雄部が咬合することによって閉となるチャック構造の形態であってもよい。本実施形態では、チャック９は、これらの構造に限定されず、例えば、雌部同士が咬合する構造を有していてもよい。製品である袋体ｐ２，ｐ３，ｐ４，・・・，ｐｎは袋体ｐ１と同じ構造を有する袋体である。製品である袋体（ｐ１，ｐ２，ｐ３，ｐ４，・・・，ｐｎ）は、平坦な構造を有するため、図３に示すように、一部が重なるように一列に積み重ねられた複数個の袋体１３の状態とすることが可能である。ここで、複数個の袋体１３は、筒状外袋１１において、筒の長さ方向Ｘに沿って連続でつながっている配列としてもよく、また、間欠で配列、すなわち途中で途切れた箇所を有する配列としてもよい。間欠の配列には、例えば、所定枚数の袋体を一部が重なるように一列に積み重ねたのち、隙間を設け、続けて同枚数の袋体を一部が重なるように一列に積み重ねたのち、再度隙間を設け、これを繰り返す配列が好ましい。袋体の枚数の確認が容易となる。本実施形態では、一部が重なるように一列に積み重ねられた複数個の袋体１３は、製品入り外袋２００の形態とすることで、一体化されるため、単に「複数個の袋体１３」又は「袋体１３」と表現することがある。
【００３６】
本実施形態に係る製品入り外袋２００では、フラットのシート状の外包装用樹脂フィルムとした基材１５に製品である袋体（ｐ１，ｐ２，ｐ３，ｐ４，・・・，ｐｎ）の一部が重なるように連続又は間欠で一列に積み重ねられた複数個の袋体１３を載せ、複数個の袋体１３を基材１５で包み込んで筒状外袋１１とし、袋体の積み重ねの状態を保持したままで一体化していることが好ましい。
【００３７】
製品入り外袋２００は、図２に示すように、複数個の袋体１３を筒状外袋１１で包み込む。帯状の基材１５の長さ方向に延びる側端部同士を重ねあわせ（図２において、開口部、すなわち重ね合わせた側端部を符号１６で示した。）、少なくとも１回以上折り込まれることで折り込み部９４が形成される。折る回数を２回以上とすることで、折り込みによる仮留め強度を高めることができる。折り込み部９４では、基材同士を接着又は熱溶着をすることはしない。本実施形態において、接着とは、例えば、糊やテープを含む接着剤による接合であり、熱溶着とは、ヒートシール、超音波、高周波、スポットシール、インパルスシーラーやレーザーによる接合である。ここで、複数個の袋体１３を収容したときの筒状外袋１１の幅は、複数個の袋体１３の幅よりもわずかに大きいことが好ましく、例えば、１〜１０ｍｍ大きいことが好ましい。筒状外袋１１による複数個の袋体１３の締め付けの程度は、複数個の袋体１３の配列が崩れない程度の保持力を持つようにすることが好ましい。袋体１３の積み重ねの状態を保持したままでより一体化できると共に、筒内部に余分な空気が入り込まないので、嵩の増加を抑制することができる。筒状外袋１１は、折り込み部９４を形成することにより、袋体１３を含んだ状態で、一体化する。製品入り外袋２００では、袋体１３に対して基材１５の密着性がより高まる。図２では折り込み部９４が筒状外袋１１の左の側端側に位置していることによって、開口部１６は左の側端部に設けられることとなり、左側の縁が開口部１６の端部１６ａとなる。図２では折り込み部９４は筒状外袋１１の左の側端側に位置している形態を示したが、右の側端側に位置させてもよい。本実施形態に係る製品入り外袋２００は、袋体（ｐ１，ｐ２，ｐ３，ｐ４，・・・，ｐｎ）を筒状外袋１１に入れるときに重力を利用して袋体をきれいに整列させることが出来る形態であり、袋体１３が筒状外袋１１に一体化された後は、製品入り外袋２００内で、袋体１３がより整然と整列している。
【００３８】
折り込み部９４は、少なくとも一つ有することが好ましい。帯状の樹脂フィルムを２枚準備し、重ね合わせることで、幅方向の両端に位置する側端部が２箇所現れる。そして、側端部それぞれを折り込むことによって折り込み部を２つ形成することで、筒状外袋１１を形成してもよい。
【００３９】
筒状外袋１１は、横断面が平坦状態でロール巻きされている。横断面が平坦状態とは、筒形状の内壁面同士が向かい合って接触し合っている状態をいう。ロール巻きされるとは、ボビン巻き、芯巻き及び無芯巻きを包含する。図６では、ロール巻きの一形態として、ボビン５１に製品入り外袋２００が巻かれている形態を示した。図６及び図７において、ボビンは回転軸９５を中心として回転させられることで、巻取りが行われる。ボビン５１の代わりに円筒状の芯に芯巻きする形態としてもよく（不図示）、また、ボビン５１を用いずに、無芯巻きとしてもよい（不図示）。製品入り外袋２００は、横断面が扁平状態でロール巻きする。ここで横断面が扁平状態とは、製品入り外袋２００に収容された複数個の袋体１３の平坦面と、筒形状の基材１５の内壁面とが接触し合っていて、複数個の袋体１３の断面形状を反映して断面が細長形状となっている状態を言う。図７では製品入り外袋２００の横断面が扁平状態、例えばほぼ矩形状態にされている形態が示されている。製品入り外袋２００では、ロール巻きされると、折り込み部９４が横に倒れて固定された状態となる。ロール巻きされる形態では、筒状外袋１１は、横断面が平坦状態となることで筒内の空間が脱気された状態となるため帯状のような形状となるところ、平らな外壁面同士が接触し合うように巻かれることが好ましい。巻かれた筒状外袋１１の嵩を小さくすることが出来る。
【００４０】
製品入り外袋２００において、複数個の袋体１３を運搬若しくは保管またはそれら両方を行うときにバルクとして取り扱うことを可能とするのみならず、製袋機から順次製造される袋体の配列状態を固定化することが可能であるので製袋機と充填機とが異なる場所になったとしても実質的にインライン化の再現をすることを可能とする。
【００４１】
筒状外袋１１は、折り込み部９４の折り込みを開放することにより、袋体１３を順次取り出すことが可能となる。あるいは、基材１５を、筒の長さ方向Ｘに沿ってカットすることによっても、袋体１３を順次取り出すことが可能となる。筒状外袋１１の開封方法には、折り込み部９４を開放する方法、基材１５のカットする方法の他に、例えば、筒状外袋１１のフィルムに傷加工又はハーフカット加工などの脆弱部を設け、脆弱部から開封する方法としてもよい。
【００４２】
製品入り外袋において、筒の長さ方向Ｘに沿って切れ目を形成するための開封補助手段を有することが好ましい。図９に、開封補助手段９６として、カットライン付フィルムの形態を説明するための断面概略図を示す。基材１５に、開封予定線７８となる位置に基材１５とは別の第二樹脂領域を設け、第二樹脂領域に薄肉部を設け、第二樹脂領域内の両脇に、玉縁７９（７９ａ，７９ｂ）を設ける。開封補助手段９６を間に挟んだ両側の箇所から基材１５を引っ張ることで、開封予定線７８が容易に裂けて、開封することができる。図１０に、開封補助手段９６として、薄肉部の形態を説明するための断面概略図を示す。基材１５に開封予定線７８となる薄肉部を設ける。開封補助手段９６を間に挟んだ両側の箇所から基材１５を引っ張ることで、開封予定線７８が容易に裂けて、開封することができる。図１１に、開封補助手段９６として、ガイドテープ式開口の形態を説明するための断面概略図を示す。図１１中の（ａ）は、基材１５に１．５〜２．５ｍｍ幅で、等幅のガイドテープ９７を貼り付けた形態（外袋の内壁面側に貼り付ける。）を示し、（ｂ）は、基材１５に、１〜３ｍｍ幅で、等幅のガイドテープ９７を貼り付け（外袋の内壁面側に貼り付ける。）、ガイドテープ９７の両側の位置に基材１５の盛り上り部を設けた形態を示した。ガイドテープ９７の末端は、外袋の外側に出されていることが好ましい。ガイドテープ９７を外袋の外壁面から遠ざかる方向に引っ張ることで、ガイドテープ９７が基材１５を破き、外袋を開封することができる。（ｂ）の形態では、盛り上り部を設けたため、より確実且つスムーズに開封することができる。ガイドテープ９７は、１本設けられる形態があるが、図１１に示すように２本設けてもよい。この場合、外袋の両サイドに最大幅で配置することが好ましく、開口幅を最大化することができ、袋体を取り出しやすい。さらに開封補助手段９６として、基材１５に、開封予定線７８となる位置にミシン目を設けてもよい。
【００４３】
製品入り外袋２００において、基材１５の内壁面にはエンボス加工領域部を有することが好ましい。エンボス加工領域部を有することによって、基材と袋体とのズレを抑制することができる。エンボス加工領域部の形態としては、内壁面の全面にエンボス加工がされている形態、内壁面に、筒の長さ方向Ｘに沿って、少なくとも２列の帯状にエンボス加工がされている形態がある。
【００４４】
（製品入り外袋の巻き取り品の製造方法）
次に図８を参照して、本実施形態に係る製品入り外袋２００であって、折り込み部９４を有する筒状外袋を用いる製品入り外袋の巻き取り品の製造方法について説明する。本実施形態に係る製品入り外袋の製造方法は、製品である袋体（ｐ１，ｐ２，ｐ３，ｐ４，・・・，ｐｎ）の一部が重なるように連続又は間欠で一列に積み重ねられた複数個の袋体１３を、外包装用の筒状外袋１１で包み込んで、袋体１３の積み重ねの状態を保持したままで一体化した製品入り外袋の製造方法であって、基材１５として等幅の帯状の樹脂フィルムを準備する工程Ａと、基材１５を広げた状態とする工程Ｂと、基材１５の上に、基材１５の長手方向に沿って、袋体（ｐ１，ｐ２，ｐ３，ｐ４，・・・，ｐｎ）の一部が重なるように連続又は間欠で一列に袋体を複数積み重ねていく工程Ｃと、複数個の袋体１３を載せた基材１５を基材１５の長手方向に移動させながらかつ該基材の長手方向に張力をかけながら、基材１５で複数個の袋体１３を包み込むとともに、基材３５の側端部を重ね合わせ、次いで折り曲げて折り込み部９４を形成することで、基材１５を筒状に成形して製品入り外袋２００を得る工程Ｄと、製品入り外袋２００を横断面が扁平状態でロール巻きするＥ工程と、を有する。なお、基材１５の長手方向は、基材１５を基準として、筒の長さ方向Ｘと同方向である。図８（ａ）には、工程Ａ及び工程Ｂを経た水平に広げられた基材１５に対して複数個の袋体１３が積み重ねられる様子（工程Ｃ）を示した。図８（ｂ）には、複数個の袋体１３を載せた基材１５を基材１５の長手方向に移動させながらかつ基材１５の長手方向に張力をかけながら、基材１５で複数個の袋体１３を包み込むとともに、基材３５の側端部を重ね合わせる様子（工程Ｄの前半部）を示した。なお、図８（ａ）〜（ｄ）はいずれも基材１５の幅方向の断面が見えるように図示しているため、基材１５の長手方向は、紙面の手前−奥側の方向である。したがって、基材１５の移動の様子及び基材に張力がかかっている様子は図示していない。図８（ｃ）には、基材１５を折り曲げて折り込み部９４（１回折り）を形成することで、基材１５を筒状に成形して製品入り外袋２００を得る様子（工程Ｄの後半部）を示した。図８（ｄ）には、基材１５をさらにもう１回折り曲げて折り込み部９４（２回折り）を形成する様子（工程Ｄの後半部の好ましい形態）を示した。図８（ｅ）には、製品入り外袋２００を横断面が扁平状態でボビン５２にロール巻きして、製品入り外袋の巻き取り品５３を得る様子（Ｅ工程）を示した。
【００４５】
（製造方法の変形例１）
本実施形態に係る製品入り外袋の製造方法において、次のように変形してもよい。すなわち、工程Ａにおいて、基材を１つ準備し、工程Ｂにおいて、基材を、基材の長手方向の横断面がＵ字形状又はＶ字状となるように広げ、工程Ｃにおいて、袋体の左右いずれか一方の側端側を下方に向けた状態で、袋体をＵ字形状又はＶ字状の基材の内側に入れる。図８（ａ）では、広げられた基材１５として、水平に平坦に広げた形態を示したが、基材を断面がＵ字形状又はＶ次形状となるようにして、その中に袋体を側端が基材に当接するように縦置きされた状態で積み重ねた形態とする。
【００４６】
（製造方法の変形例２）
本実施形態に係る製品入り外袋の製造方法において、次のように変形してもよい。すなわち、工程Ａにおいて、基材を２つ準備し、工程Ｂにおいて、基材の一方を水平に広げ、基材の他方を、基材の一方の上方で水平に広げ、工程Ｃにおいて、基材の一方の幅方向の両端が袋体の左の側端側及び右の側端側にそれぞれ位置するように、基材の一方をフラットのシート状とすると共に、袋体を基材の一方の上に載せ、工程Ｄにおいて、基材の他方を袋体に被せて、幅方向の両端において折り込み部を形成することによって、基材の一方と基材の他方とを一体化する。２つの基材を上下に配置し、その間に袋体を配置して閉じるという簡易な動作で、外袋の中に袋体を入れることが出来る。この実施形態では、折り込み部が２つ形成されることとなる。
【００４７】
（袋体の供給方法）
本実施形態に係る袋体の供給方法について説明する。本実施形態に係る袋体の供給方法は、図８に示した工程を逆に進むこと、ずなわち、（ｅ）、（ｄ）、（ｃ）、（ｂ）、（ａ）の順に行われる。本実施形態に係る袋体の供給方法は、本実施形態に係る製品入り外袋の巻き取り品５３の製品入り外袋２００を引き出しながら折り込み部を開口するＦ工程と、開口された製品入り外袋の中の袋体１３を順々に充填機に供給するＧ工程と、を有する。また、変形例として、本実施形態に係る袋体の供給方法は、本実施形態に係る製品入り外袋の巻き取り品５３の製品入り外袋２００を引き出しながら折り込み部以外の箇所を開口するＦ工程と、開口された製品入り外袋の中の袋体１３を順々に充填機に供給するＧ工程と、を有する。Ｆ工程において、折り込み部以外の箇所を開口する場合には、カッターを用いて開口することが好ましい。また、折り込み部以外の箇所に脆弱部を設けた場合には、脆弱部から開封してもよい。例えば、図９、図１０及び図１１に示す開封補助手段９６を設けた場合には、開封補助手段９６を用いて開口してもよい。Ｇ工程において、基材１５に載せられた袋体１３の先頭の袋体を袋検知具で検知し、吸着具によって取り出し、位置決め装置の一端側に載せられる。位置決め装置の一端側に載せられた袋体は、吸着具で位置決め装置の他端側に移動させられる。袋体の位置に袋体が存在するかどうかは袋検知具によって検知する。そして、袋体は、充填機（不図示）に供給される。
【００４８】
Ｆ工程及びＧ工程において、製品入り外袋２００の巻き取り品５３が、実質的に製袋機を再現することが出来ていて、袋体１３を充填機に高速で供給することが可能となる。すなわち、充填機において、実質的に製袋機のインライン化を再現出来ているといえる。そして、袋体の結束作業が不要となり、また、それに伴う検品工程も不要であることがわかる。
【００４９】
本実施形態は、複数の形態があり、本発明の効果を奏する範囲において、各実施形態の一部を適宜入れ替えして、変形することが可能である。
【００５０】
本実施形態においては、筒状外袋を用いて、複数個の袋体を包むことによって製品入り外袋とした形態を説明したが、製品として図４及び図５に示した袋体に限定されず、例えば、カード形状の製品にも適用することができ、また、カード形状を有していない製品を等間隔で一列に配列させて、その状態を保持するように嵌合具付き筒状外袋又は筒状外袋で包むことも可能である。
【符号の説明】
【００５１】
２００  製品入り外袋
ｐ１，ｐ２，ｐ３，ｐ４，・・・，ｐｎ  袋体
１３  複数個の袋体（袋体）
１５  基材
１６  外袋の開口部
１６ａ  外袋の開口部の縁
７  収容部
８  袋体の開口部
９  チャック
２０  領域
１１  筒状外袋（嵌合具なし）
１５ａ，１５ｂ  基材の幅方向の両端の縁
５３  製品入り外袋の巻き取り品
５２  ボビン
７８  開封予定線（薄肉部）
７９（７９ａ，７９ｂ）  玉縁
９４  折り込み部
９５  ボビンの回転軸
９６  開封補助手段
９７  ガイドテープ
Ｘ  筒の長さ方向
【図１】
2018188225.tif 000003
【図２】
2018188225.tif 000004
【図３】
2018188225.tif 000005
【図４】
2018188225.tif 000006
【図５】
2018188225.tif 000007
【図６】
2018188225.tif 000008
【図７】
2018188225.tif 000009
【図８】
2018188225.tif 000010
【図９】
2018188225.tif 000011
【図１０】
2018188225.tif 000012
【図１１】
2018188225.tif 000013